(57)【要約】【課題】輝度の測定精度の低下を防止して、正確な視野角を算出することができる表示パネルの視野角算出装置及び方法を提供することを目的とする。【解決手段】視野角算出装置６は、異なる複数の角度における測定領域Ｓの輝度を測定する光学測定器８と、輝度に基づいて、異なる複数の角度毎の表示面７のコントラスト比を算出するコントラスト比算出部１０と、コントラスト比に基づいて、液晶表示パネル１の視野角を算出する視野角算出部１１とを備えている。また視野角算出装置６は、液晶表示パネル１の表示面７の一部を覆うように、表示面７に設定された輝度の測定領域Ｓに隣接して配設される遮光性を有するマスク部材１３を備えている。【選択図】図１
2010164649.tif 000002
【特許請求の範囲】
【請求項１】
表示パネルの表示面の一部を覆うように、該表示面に設定された輝度の測定領域に隣接して配設される遮光性を有するマスク部材と、
異なる複数の角度における前記測定領域の輝度を測定する光学測定器と、
前記輝度に基づいて、前記異なる複数の角度毎の前記表示面のコントラスト比を算出するコントラスト比算出部と、
前記コントラスト比に基づいて、前記表示パネルの視野角を算出する視野角算出部と
を備えることを特徴とする表示パネルの視野角算出装置。
【請求項２】
前記マスク部材は、前記測定領域を取り囲むように配設されることを特徴とする請求項１に記載の表示パネルの視野角算出装置。
【請求項３】
前記マスク部材は、該マスク部材の端部が前記表示パネルの表示面の上方に浮揚した状態で、該表示パネルに支持されることを特徴とする請求項１に記載の表示パネルの視野角算出装置。
【請求項４】
前記表示パネルが液晶表示パネルであることを特徴とする請求項１〜請求項３のいずれか１項に記載の表示パネルの視野角算出装置。
【請求項５】
表示パネルの表示面に、輝度が測定される測定領域を設定し、
遮光性を有するマスク部材を、前記表示面の一部を覆うように、前記測定領域に隣接させて配設し、
前記表示パネルを所定角度ずつ回転させるとともに、異なる複数の角度における前記測定領域の輝度を測定し、
前記輝度に基づいて、前記異なる複数の角度毎の前記表示面のコントラスト比を算出し、
前記コントラスト比に基づいて、前記表示パネルの視野角を算出することを特徴とする表示パネルの視野角算出方法。
【請求項６】
前記マスク部材を、前記測定領域を取り囲むように配設することを特徴とする請求項５に記載の表示パネルの視野角算出方法。
【請求項７】
前記マスク部材を、該マスク部材の端部が前記表示パネルの表示面の上方に浮揚した状態で、該表示パネルに支持されるように配設することを特徴とする請求項５に記載の表示パネルの視野角算出方法。
【請求項８】
前記表示パネルが液晶表示パネルであることを特徴とする請求項５〜請求項７のいずれか１項に記載の表示パネルの視野角算出方法。
【発明の詳細な説明】
【技術分野】
【０００１】
本発明は、液晶表示パネル等の表示パネルの視野角算出装置及び視野角算出方法に関し、特に、表示パネルの表示面の輝度値を測定して、得られた輝度値から表示パネルの視野角を算出する装置及び方法に関する。
【背景技術】
【０００２】
近年、携帯電話等のモバイル型端末やノート型パソコン等の各種電子機器の表示パネルとして、薄くて軽量であるとともに、低電圧で駆動でき、かつ消費電力が少ないという長所を有する液晶表示パネルが広く使用されている。
【０００３】
一般に、液晶表示パネルは、互いに対向して配置された一対の基板（即ち、ＴＦＴ（Thin Film Transistor）基板とＣＦ（Color Filter）基板）と、一対の基板の間に設けられた液晶層と、一対の基板を互いに接着するとともに、両基板の間に液晶を封入するために枠状に設けられたシール材とを備えている。
【０００４】
また、この液晶表示パネルにおいては、表示面を見る方向により、輝度やコントラストなどが変化するように構成されており、表示面を見る方向により画像の見え方が変化するという視角特性を有している。
【０００５】
また、一般に、液晶表示パネルにおいては、表示面を正面から（すなわち、表示面の法線方向から）見た場合に、最も視角特性が良くなるように設定されており、表示面の法線方向とユーザーが見る方向とのなす角度が大きくなるに伴い、画面に反転等が生じ、画像の見え方が変化するように構成されている。
【０００６】
この際、表示画面を正面から見ているユーザーに対し、表示画面の上下方向、あるいは左右方向において、どの程度の角度まで、画像に反転等の変化を生じることなく、表示面を見ることが可能であるかを示す指標が、いわゆる視野角である。この視野角が大きい程、画像に反転等の変化を生じることなく、表示面を多方向から見ることができ、多数のユーザーにより、一つの液晶表示パネルを同時に観察することが可能になる。
【０００７】
そして、液晶表示パネルは、携帯電話等のモバイル型端末やノート型パソコン等の各種電子機器の用途では、表示面をあらゆる方向から見ることができるような優れた視角特性が要求される。
【０００８】
ここで、視野角を算出する方法として、図１２に示すように、液晶表示パネル５０の表示面５１上に輝度が測定される測定領域ｓを設定し、その上で、液晶表示パネル５０を回転軸５３を中心に所定角度ずつ回転させる（即ち、図１２においては、液晶表示パネル５０を、位置Ｐ０から位置Ｐ１へ回転させるとともに、位置Ｐ１から位置Ｐ２へ回転させる）とともに、液晶表示パネル５０の測定領域ｓの輝度を、異なる複数の角度毎に光学測定器５４により測定し、得られた輝度に基づいて算出されたコントラスト比が所定の値以上になる角度を視野角として算出する方法が提案されている（例えば、特許文献１参照）。
【先行技術文献】
【特許文献】
【０００９】
【特許文献１】特開２００７−６４７６４号公報
【発明の概要】
【発明が解決しようとする課題】
【００１０】
しかし、上記特許文献１に記載の方法では、光学測定器５４による輝度の測定角度（即ち、液晶表示パネル５０の表示面５１の法線Ｌと光学測定器５４とのなす角度）の変化に伴い、測定領域の形状が変化して、測定領域の面積が変化してしまう。
【００１１】
より具体的には、図１３に示すように、液晶表示パネル５０の表示面５１の法線Ｌと光学測定器５４とのなす角度が０°の場合の測定領域ｓ０に比し、液晶表示パネル５０の表示面５１の法線Ｌと光学測定器５４とのなす角度がθ１の場合の測定領域ｓ１は広がるため、測定領域の形状が変化して、測定領域の面積が変化することになる。また、同様に、図１３に示すように、上述の測定領域ｓ１に比し、液晶表示パネル５０の表示面５１の法線Ｌと光学測定器５４とのなす角度がθ１よりも大きいθ２の場合の測定領域ｓ２は広がるため、測定領域の形状が変化して、測定領域の面積が変化することになる。
【００１２】
即ち、液晶表示パネル５０の表示面５１の法線Ｌと光学測定器５４とのなす角度が大きくなるに伴い、測定領域の形状が変化するとともに、測定領域の面積が変化することになる。その結果、液晶表示パネル５０の表示面５１の法線Ｌと光学測定器５４とのなす角度が大きくなるに伴い、測定領域内の角度分解能が低下するとともに、測定領域において、ピントがズレた領域が増加してくるため、表示面の測定領域から出射した光を正確に受光することが困難になる。その結果、輝度の測定精度が低下して、正確な視野角を算出することが困難になっていた。
【００１３】
そこで、本発明は、上述の問題に鑑みてなされたものであり、輝度の測定精度の低下を防止して、正確な視野角を算出することができる表示パネルの視野角算出装置及び方法を提供することを目的とする。
【課題を解決するための手段】
【００１４】
上記目的を達成するために、請求項１に記載の発明は、表示パネルの表示面の一部を覆うように、表示面に設定された輝度の測定領域に隣接して配設される遮光性を有するマスク部材と、異なる複数の角度における測定領域の輝度を測定する光学測定器と、輝度に基づいて、異なる複数の角度毎の表示面のコントラスト比を算出するコントラスト比算出部と、コントラスト比に基づいて、表示パネルの視野角を算出する視野角算出部とを備えることを特徴とする表示パネルの視野角算出装置である。
【００１５】
同構成によれば、輝度の測定領域に隣接して配設される遮光性を有するマスク部材を備えているため、光学測定器による輝度の測定角度が変化した場合であっても、測定領域の形状の変化が抑制され、測定領域の面積の変化が抑制されることになる。従って、測定角度が変化した場合であっても、測定領域内の角度分解能の低下を防止することができるとともに、測定領域において、ピントがズレた領域の発生を防止することができる。従って、測定領域から出射した光を正確に受光することができるため、輝度の測定精度の低下を防止することが可能になり、結果として、正確な視野角を算出すること可能になる。
【００１６】
請求項２に記載の発明は、請求項１に記載の表示パネルの視野角算出装置であって、マスク部材は、測定領域を取り囲むように配設されることを特徴とする。
【００１７】
同構成によれば、光学測定器により、各測定角度における測定領域の輝度を測定する際に、液晶表示パネルの表示面の測定スポットの周辺から出射した光が回り込んで、光学測定器により受光されることを効果的に防止することが可能になる。従って、、光学測定器による測定スポットの輝度の測定精度を向上させることが可能になるため、結果として、より一層正確な視野角を算出すること可能になる。
【００１８】
請求項３に記載の発明は、請求項１に記載の表示パネルの視野角算出装置であって、マスク部材は、マスク部材の端部が表示パネルの表示面の上方に浮揚した状態で、表示パネルに支持されることを特徴とする。
【００１９】
同構成によれば、光学測定器により、各測定角度における測定領域の輝度を測定する際に、液晶表示パネルの周囲から回り込み、液晶表示パネルの表示面において反射した光が、マスク部材により遮光される。従って、反射した光が光学測定器により受光されることを効果的に防止することが可能になるため、光学測定器による測定スポットの輝度の測定精度を向上させることが可能になる。その結果、より一層正確な視野角を算出すること可能になる。また、表示パネルから放出される熱を、直接、大気中へ放射することが可能になる。従って、表示パネルの放熱効率を向上させることが可能になる。
【００２０】
また、本発明の請求項１〜請求項３のいずれか１項に記載の表示パネルの視野角算出装置は、輝度の測定精度の低下を防止して、正確な視野角を算出することができるという優れた特性を備えている。従って、請求項４に記載の発明のように、請求項１〜請求項３のいずれか１項に記載の表示パネルの視野角算出装置であって、表示パネルが液晶表示パネル層の場合に好適に使用される。
【００２１】
請求項５に記載の発明は、表示パネルの表示面に、輝度が測定される測定領域を設定し、遮光性を有するマスク部材を、表示面の一部を覆うように、測定領域に隣接させて配設し、表示パネルを所定角度ずつ回転させるとともに、異なる複数の角度における測定領域の輝度を測定し、輝度に基づいて、異なる複数の角度毎の表示面のコントラスト比を算出し、コントラスト比に基づいて、表示パネルの視野角を算出することを特徴とする表示パネルの視野角算出方法である。
【００２２】
同構成によれば、輝度の測定領域に隣接させて、遮光性を有するマスク部材を配設するため、各測定角度における測定領域の輝度を測定する際に、輝度の測定角度が変化した場合であっても、測定領域の形状の変化が抑制され、測定領域の面積の変化が抑制されることになる。従って、測定角度が変化した場合であっても、測定領域内の角度分解能の低下を防止することができるとともに、測定領域において、ピントがズレた領域の発生を防止することができる。従って、測定領域から出射した光を正確に受光することができるため、輝度の測定精度の低下を防止することが可能になり、結果として、正確な視野角を算出すること可能になる。
【００２３】
請求項６に記載の発明は、請求項５に記載の表示パネルの視野角算出方法であって、マスク部材を、測定領域を取り囲むように配設することを特徴とする。
【００２４】
同構成によれば、例えば、光学測定器により各測定角度における測定領域の輝度を測定する際に、表示パネルの表示面の測定スポットの周辺から出射した光が回り込んで、光学測定器により受光されることを効果的に防止することが可能になる。従って、、光学測定器による測定スポットの輝度の測定精度を向上させることが可能になるため、結果として、より一層正確な視野角を算出すること可能になる。
【００２５】
請求項７に記載の発明は、請求項５に記載の表示パネルの視野角算出方法であって、マスク部材を、マスク部材の端部が表示パネルの表示面の上方に浮揚した状態で、表示パネルに支持されるように配設することを特徴とする。
【００２６】
同構成によれば、例えば、光学測定器により各測定角度における測定領域の輝度を測定する際に、表示パネルの周囲から回り込み、表示パネルの表示面において反射した光が、マスク部材により遮光される。従って、反射した光が光学測定器により受光されることを効果的に防止することが可能になるため、光学測定器による測定スポットの輝度の測定精度を向上させることが可能になる。その結果、より一層正確な視野角を算出すること可能になる。また、表示パネルから放出される熱を、大気中へ効果的に放射することが可能になる。
【００２７】
また、本発明の請求項５〜請求項７のいずれか１項に記載の表示パネルの視野角算出方法は、輝度の測定精度の低下を防止して、正確な視野角を算出することができるという優れた特性を備えている。従って、請求項８に記載の発明のように、請求項５〜請求項７のいずれか１項に記載の表示パネルの視野角算出方法であって、表示パネルが液晶表示パネル層の場合に好適に使用される。
【発明の効果】
【００２８】
本発明によれば、測定領域から出射した光を正確に受光することができるため、輝度の測定精度の低下を防止することが可能になり、正確な視野角を算出すること可能になる。
【図面の簡単な説明】
【００２９】
【図１】本発明の第１の実施形態に係る液晶表示パネルの視野角算出装置を説明するための図である。
【図２】本発明の第１の実施形態に係る液晶表示パネルの視野角算出方法における液晶表示パネルと光学測定器の動きを模式的に示す側面図である。
【図３】本発明の第１の実施形態に係る液晶表示パネルの視野角算出方法における液晶表示パネルと光学測定器の動きを模式的に示す斜視図である。
【図４】本発明の第１の実施形態に係る液晶表示パネルの視野角算出装置が備えるマスク部材を説明するための上面図である。
【図５】本発明の第１の実施形態に係る液晶表示パネルの視野角決定方法を説明するためのフローチャートである。
【図６】本発明の第２の実施形態に係る液晶表示パネルの視野角算出装置が備えるマスク部材を説明するための上面図である。
【図７】本発明の第２の実施形態に係る液晶表示パネルの視野角算出方法における液晶表示パネルと光学測定器の動きを模式的に示す斜視図である。
【図８】本発明の第２の実施形態に係る液晶表示パネルの視野角決定方法を説明するためのフローチャートである。
【図９】本発明の第３の実施形態に係る液晶表示パネルの視野角算出装置が備えるマスク部材を説明するための側面図である。
【図１０】本発明の第３の実施形態に係る液晶表示パネルの視野角決定方法を説明するためのフローチャートである。
【図１１】本発明の第３の実施形態に係る液晶表示パネルの視野角算出装置が備えるマスク部材の変形例を説明するための側面図である。
【図１２】従来の液晶表示パネルの視野角決定方法における液晶表示パネルと光学測定器の動きを模式的に示す側面図である。
【図１３】従来の液晶表示パネルの視野角決定方法における輝度の測定領域の変化を説明するための上面図である。
【発明を実施するための形態】
【００３０】
以下、本発明の実施形態を図面に基づいて詳細に説明する。尚、本発明は、以下の実施形態に限定されるものではない。
【００３１】
（第１の実施形態）
図１は、本発明の第１の実施形態に係る液晶表示パネルの視野角算出装置を説明するための図であり、図２は、本発明の第１の実施形態に係る液晶表示パネルの視野角算出方法における液晶表示パネルと光学測定器の動きを模式的に示す側面図である。また、図３は、本発明の第１の実施形態に係る液晶表示パネルの視野角算出方法における液晶表示パネルと光学測定器の動きを模式的に示す斜視図であり、図４は、本発明の第１の実施形態に係る液晶表示パネルの視野角算出装置が備えるマスク部材を説明するための上面図である。なお、本実施形態においては、表示パネルとして、液晶表示パネルを例に挙げて説明する。
【００３２】
図１に示す様に、液晶表示パネル１は、第１基板であるＴＦＴ基板２と、ＴＦＴ基板２に対向する第２基板であるＣＦ基板３と、ＴＦＴ基板２及びＣＦ基板３の間に設けられた表示媒体層である液晶層４と、ＴＦＴ基板２及びＣＦ基板３を互いに接着するとともに液晶層４を封入するために枠状に設けられたシール材５とを備えている。このシール材５は、液晶層４を周回するように形成されており、ＴＦＴ基板２とＣＦ基板３は、このシール材５を介して相互に貼り合わされている。
【００３３】
ＴＦＴ基板２は、例えば、ガラス基板やプラスチック基板等の基板本体上に互いに平行に延びるように設けられた複数のゲート線（不図示）と、各ゲート線を覆うように設けられたゲート絶縁膜（不図示）と、ゲート絶縁膜上に各ゲート線と直交する方向に互いに平行に延設された複数のソース線（不図示）と、各ゲート線及び各ソース線の交差部分毎にそれぞれ設けられた複数のＴＦＴ（不図示）と、各ソース線及び各ＴＦＴを覆うように設けられた層間絶縁膜（不図示）と、層間絶縁膜上にマトリクス状に設けられ、各ＴＦＴの各々に接続された複数の画素電極（不図示）と、各画素電極を覆うように設けられた配向膜（不図示）とを備えている。
【００３４】
また、ＴＦＴは、各ゲート線が側方に突出したゲート電極（不図示）と、ゲート絶縁膜上でゲート電極に重なる位置において島状に設けられた半導体層（不図示）と、半導体層上で互いに対峙するように設けられたソース電極（不図示）及びドレイン電極（不図示）とを備えている。
【００３５】
なお、ドレイン電極は、層間絶縁膜に形成されたコンタクトホール（不図示）を介して画素電極に接続されている。
【００３６】
また、画素電極は、層間絶縁膜上に設けられた透明電極（不図示）と、透明電極上に積層され、透明電極の表面上に設けられた反射電極（不図示）とにより構成されている。
【００３７】
また、ＴＦＴ基板２及びそれを備えた液晶表示パネル１の表示領域では、反射電極により反射領域が規定され、反射電極から露出する透明電極により透過領域が規定されている。
【００３８】
ＣＦ基板３は、例えば、ガラス基板やプラスチック基板等の基板本体上に格子状及び遮光部として枠状に設けられたブラックマトリクス（不図示）と、ブラックマトリクスの各格子間にそれぞれ設けられた赤色層、緑色層及び青色層などを含むカラーフィルタ（不図示）と、ブラックマトリクス及びカラーフィルタを覆うように設けられた共通電極（不図示）と、共通電極上に柱状に設けられたフォトスペーサ（不図示）と、共通電極を覆うように設けられた配向膜（不図示）とを備えている。
【００３９】
液晶層４は、例えば、電気光学特性を有するネマチックの液晶材料などにより構成されている。
【００４０】
シール材５は、表示領域の周囲全体を囲む矩形枠状に設けられている。このシール材５の枠幅は、特に限定されないが、例えば、０．５ｍｍ以上２．０ｍｍ以下に設定できる。
【００４１】
液晶表示パネル１は、各画素電極毎に１つの画素が構成されており、各画素において液晶層４に所定の大きさの電圧を印加させることにより、液晶層４の配向状態を変えるとともに、例えば、バックライトから入射する光の透過率を調整することにより画像が表示される。
【００４２】
また、図１に示すように、本実施形態の液晶表示パネル１の視野角算出装置６は、液晶表示パネル１の表示面７における測定領域Ｓの輝度を測定するための光学測定器８と、光学測定器８に接続されたＡ／Ｄ変換器９と、Ａ／Ｄ変換器９に接続されるとともに、液晶表示パネル１の表示面７のコントラスト比を算出するためのコントラスト比算出部１０と、コントラスト比算出部１０に接続されるとともに、液晶表示パネル１の視野角を算出するための視野角算出部１１と、視野角算出部１１に接続されるとともに、液晶表示パネル１の視野角を算出するための所定のデータが記憶された記憶部１２とを備えている。
【００４３】
光学測定器８は、輝度計とも呼ばれるものであり、液晶表示パネル１の表示面７の測定領域Ｓから出射した光を受光し、その受光量に基づいて、異なる複数の測定角度（即ち、液晶表示パネル１の表示面７の法線Ｄと光学測定器８とのなす角度）における測定領域Ｓの輝度を測定する。
【００４４】
また、コントラスト比算出部１０は、コンピュータにより構成され、光学測定器８により測定された輝度のデータを受け取り、輝度に基づいて、異なる複数の測定角度毎の表示面７のコントラスト比を算出するものである。
【００４５】
また、視野角算出部１１は、コンピュータにより構成され、コントラスト比算出部１０により算出されたコントラスト比のデータを受け取り、コントラスト比に基づいて、液晶表示パネル１の視野角を算出するものである。
【００４６】
また、本実施形態の視野角測定装置６は、図１に示すように、液晶表示パネル１の表示面７上に配設されるマスク部材１３を備えている。
【００４７】
このマスク部材１３は、光を反射しない遮光性を有しており、図１、図４に示すように、液晶表示パネル１の表示面７の一部を覆うように、測定領域Ｓに隣接して配設されており、後述のごとく、光学測定器８により、、異なる複数の測定角度における測定領域Ｓの輝度を測定する際に、測定領域Ｓの形状の変化を抑制して、測定領域Ｓの面積の変化を抑制するためのものである。
【００４８】
また、マスク部材１３を形成する材料としては、特に限定はされないが、マスク部材１３に遮光性を付与するとの観点から、例えば、植毛シート等を使用することができる。
【００４９】
また、マスク部材１３の厚みは、特に限定されないが、例えば、０．３ｍｍ以上０．４ｍｍ以下に設定できる。
【００５０】
次に、液晶表示パネルの視野角決定方法について説明する。図５は、本発明の第１の実施形態に係る液晶表示パネルの視野角決定方法を説明するためのフローチャートである。
【００５１】
液晶表示パネル１の視野角を決定する際には、まず、液晶表示パネル１の表示面７上に、輝度が測定される所定の測定領域Ｓを設定する（ステップＳ１）。次いで、液晶表示パネル１の作動により、表示面７の全面を黒色表示または白色表示にする（ステップＳ２）。次いで、マスク部材１３を、液晶表示パネル１の表示面７の一部を覆うように、測定領域Ｓに隣接させて配設する（ステップＳ３）。
【００５２】
次いで、図２に示すように、液晶表示パネル１を、回転軸１４を中心に所定角度ずつ回転させるとともに、光学測定器８により、異なる複数の測定角度における測定領域Ｓの輝度を測定する（ステップＳ４）。
【００５３】
より具体的には、液晶表示パネル１を、測定角度が０°（即ち、液晶表示パネル１の表示面７の法線Ｌと光学測定器８とのなす角度が０°）である位置Ｐ０から、回転軸１４を中心に所定角度回転させて、測定角度がθ１（即ち、液晶表示パネル１の表示面７の法線Ｌと光学測定器８とのなす角度がθ１）である位置Ｐ１に配置させるとともに、光学測定器８により、測定角度がθ１の場合の測定領域Ｓにおける輝度を測定する。また、同様に、液晶表示パネル１を、測定角度がθ１である位置Ｐ１から、回転軸１４を中心に所定角度回転させて、測定角度がθ２（即ち、液晶表示パネル１の表示面７の法線Ｌと光学測定器８とのなす角度がθ２）である位置Ｐ２に配置させるとともに、光学測定器８により、測定角度がθ２の場合の測定領域Ｓにおける輝度を測定する。
【００５４】
この際、上述のごとく、測定領域Ｓに隣接させて、遮光性を有するマスク部材１３を配設しているため、光学測定器８による輝度の測定角度が変化した場合であっても、測定領域Ｓの形状の変化が抑制され、測定領域Ｓの面積の変化が抑制されることになる。
【００５５】
より具体的には、上述の図１３において説明したように、上記従来の方法においては、位置Ｐ０における測定領域ｓ０に比し、位置Ｐ１における測定領域ｓ１は広がるため、測定領域の形状が変化して、測定領域の面積が変化したが、本実施形態においては、測定領域Ｓに隣接させて、遮光性を有するマスク部材１３を配設しているため、液晶表示パネル１を、測定角度が０°である位置Ｐ０から、回転軸１４を中心に所定角度回転させて、測定角度がθ１である位置Ｐ１に配置した場合であっても、位置Ｐ０における測定領域に比し、位置Ｐ１における測定領域は広がらないため、測定領域の形状の変化が抑制されるとともに、測定領域の面積の変化が抑制されることになる。また、同様に、液晶表示パネル１を、測定角度がθ１である位置Ｐ１から、回転軸１４を中心に所定角度回転させて、測定角度がθ２である位置Ｐ２に配置した場合であっても、位置Ｐ０及び位置Ｐ１における測定領域に比し、位置Ｐ２における測定領域は広がらないため、測定領域の形状の変化が抑制され、測定領域の面積の変化が抑制されることになる。
【００５６】
従って、測定角度が変化した場合であっても、測定領域Ｓ内の角度分解能の低下を防止することができるとともに、測定領域Ｓにおいて、ピントがズレた領域の発生を防止することができる。従って、測定領域Ｓから出射した光を正確に受光することができるため、輝度の測定精度の低下を防止することが可能になる。
【００５７】
次いで、光学測定器８により測定された異なる複数の測定角度毎の輝度のデータは、Ａ／Ｄ変換器９によってアナログ信号からデジタル信号に変換され、変換された各測定角度毎の輝度データのデジタル信号は、コントラスト比算出部１０に入力される（ステップＳ５）。
【００５８】
次いで、コントラスト比算出部１０は、入力された各測定角度毎の輝度のデータに基づいて、異なる複数の測定角度毎の表示面７のコントラスト比を算出する（ステップＳ６）。
【００５９】
ここで、本実施形態においては、上述のごとく、測定領域Ｓに隣接させて、遮光性を有するマスク部材１３を配設しているため、位置Ｐ１及び位置Ｐ２における測定領域Ｓは、マスク部材１３を配設しない場合の測定領域ｓ１，ｓ２（図１３参照）に比し、縮小することになる。従って、光学測定器８により、位置Ｐ１及び位置Ｐ２における測定領域Ｓの輝度を測定する際に、光学測定器８への受光量が減少することになる。しかし、本実施形態においては、上述のごとく、黒色表示時及び白色表示時における輝度の測定において、測定領域Ｓの形状は同じであるため、コントラスト比の算出において、受光量の減少は相殺される。従って、本実施形態においては、上述の受光量の減少を考慮することなく、以下に示す式（１）により、コントラスト比を算出することができる。
【００６０】
【数１】
2010164649.tif 000003
【００６１】
即ち、本実施形態においては、上述の受光量の減少に伴う特殊な処理を行うことなく、光学測定器による測定値を用いて、コントラスト比を算出することができる。
【００６２】
次いで、コントラスト比算出部１０により算出された異なる複数の測定角度毎のコントラスト比のデータは、視野角算出部１１に入力される（ステップＳ７）。
【００６３】
次いで、視野角算出部１１は、入力された各測定角度毎のコントラスト比のデータに基づいて、液晶表示パネル１の視野角を算出する（ステップＳ８）。
【００６４】
より具体的には、視野角算出部１１は、記憶部１２に記憶された視野角を算出するための所定のデータである予め設定されたコントラスト比のデータを読み出すとともに、予め設定されたコントラスト比以上（例えば、コントラスト比が１０以上）になる角度を視野角として算出する。例えば、測定角度がθ２の場合のコントラスト比が１０の場合は、当該角度θ２を視野角として算出する。
【００６５】
以上に説明したように、本実施形態における視野角算出方法においては、液晶表示パネル１の表示面７に、輝度が測定される測定領域Ｓを設定し、遮光性を有するマスク部材１３を、表示面７の一部を覆うように、測定領域Ｓに隣接させて配設し、液晶表示パネル１を所定角度ずつ回転させるとともに、各測定角度における測定領域Ｓの輝度を測定し、各測定角度における測定領域Ｓの輝度に基づいて、各測定角度毎のコントラスト比を算出し、そして、各測定角度毎のコントラスト比に基づいて、液晶表示パネル１の視野角を算出する構成としている。
【００６６】
以上に説明した本実施形態によれば、以下の効果を得ることができる。
【００６７】
（１）本実施形態においては、遮光性を有するマスク部材１３を、液晶表示パネル１の表示面７の一部を覆うように、表示面７に設定された輝度の測定領域Ｓに隣接して配設する構成としている。従って、光学測定器８による輝度の測定角度が変化した場合であっても、測定領域Ｓ内の角度分解能の低下を防止することができるとともに、測定領域Ｓにおいて、ピントがズレた領域の発生を防止することができる。従って、測定領域Ｓから出射した光を正確に受光することができるため、輝度の測定精度の低下を防止することが可能になり、結果として、正確な視野角を算出すること可能になる。
【００６８】
（第２の実施形態）
次に、本発明の第２の実施形態について説明する。図６は、本発明の第２の実施形態に係る液晶表示パネルの視野角算出装置が備えるマスク部材を説明するための上面図であり、図７は、本発明の第２の実施形態に係る液晶表示パネルの視野角算出方法における液晶表示パネルと光学測定器の動きを模式的に示す斜視図である。また、図８は、本発明の第２の実施形態に係る液晶表示パネルの視野角決定方法を説明するためのフローチャートである。なお、上記第１の実施形態と同様の構成部分については同一の符号を付してその説明を省略する。また、液晶表示パネルの視野角算出装置については、上述の第１の実施形態において説明したものと同様であるため、ここでは詳しい説明を省略する。また、本実施形態においても、表示パネルとして、液晶表示パネルを例に挙げて説明する。
【００６９】
本実施形態においては、図６、図７に示すように、マスク部材１３が、液晶表示パネル１の表示面７の一部を覆うように、測定領域Ｓに隣接して配設されるとともに、測定領域Ｓを取り囲むように配設されている点に特徴がある。
【００７０】
このような構成により、上述のステップ４において説明した、液晶表示パネル１を、回転軸１４を中心に所定角度ずつ回転させるとともに、光学測定器８により、異なる複数の測定角度における測定領域Ｓの輝度を測定する際に、液晶表示パネル１の表示面７の測定領域Ｓの周辺から出射した光が回り込んで、光学測定器８により受光されることを効果的に防止することが可能になる。従って、光学測定器８による測定領域Ｓの輝度の測定精度を向上させることが可能になる。
【００７１】
本実施形態における液晶表示パネルの視野角決定方法においては、まず、上述の第１の実施形態の場合と同様に、液晶表示パネル１の表示面７上に、所定の測定領域Ｓを設定して（ステップＳ１）、液晶表示パネル１の作動により、表示面７の全面を黒色表示または白色表示にする（ステップＳ２）。
【００７２】
次いで、図８に示すように、上述のステップ３の代わりに、マスク部材１３を、測定領域Ｓを取り囲むように、測定領域Ｓに隣接させて配設する（ステップＳ３ａ）。
【００７３】
なお、マスク部材１３の配設後の処理は、上述のステップＳ４〜ステップＳ８と同様である。
【００７４】
以上に説明した本実施形態によれば、上述の（１）の効果に加えて、以下の効果を得ることができる。
【００７５】
（２）本実施形態においては、マスク部材１３を、測定領域Ｓを取り囲むように配設する構成としている。従って、光学測定器８により、各測定角度における測定領域Ｓの輝度を測定する際に、測定領域Ｓの周辺から出射した光が回り込んで、光学測定器８により受光されることを効果的に防止することが可能になる。従って、、光学測定器８による測定領域Ｓの輝度の測定精度を向上させることが可能になるため、結果として、より一層正確な視野角を算出すること可能になる。
【００７６】
（第３の実施形態）
次に、本発明の第３の実施形態について説明する。図９は、本発明の第３の実施形態に係る液晶表示パネルの視野角算出装置が備えるマスク部材を説明するための側面図である。また、図１０は、本発明の第３の実施形態に係る液晶表示パネルの視野角決定方法を説明するためのフローチャートである。なお、上記第１の実施形態と同様の構成部分については同一の符号を付してその説明を省略する。また、液晶表示パネルの視野角算出装置については、上述の第１の実施形態において説明したものと同様であるため、ここでは詳しい説明を省略する。また、本実施形態においても、表示パネルとして、液晶表示パネルを例に挙げて説明する。
【００７７】
本実施形態においては、図９に示すように、マスク部材１３が、液晶表示パネル１の表示面７の一部を覆うように、測定領域Ｓに隣接して配設されるとともに、マスク部材１３の端部１３ａが、液晶表示パネル１の表示面７の上方に浮揚した状態で、液晶表示パネル１に支持されている点に特徴がある。
【００７８】
このような構成により、上述のステップ４において説明した、液晶表示パネル１を、回転軸１４を中心に所定角度ずつ回転させるとともに、光学測定器８により、異なる複数の測定角度における測定領域Ｓの輝度を測定する際に、液晶表示パネル１の周囲から回り込み、液晶表示パネル１の表示面７において反射した光が、遮光性を有するマスク部材１３により遮光されることになる。
【００７９】
従って、反射した光が光学測定器８により受光されることを効果的に防止することが可能になるため、光学測定器８による測定領域Ｓの輝度の測定精度を向上させることが可能になる。
【００８０】
本実施形態における液晶表示パネルの視野角決定方法においては、まず、上述の第１の実施形態の場合と同様に、液晶表示パネル１の表示面７上に、所定の測定領域Ｓを設定して（ステップＳ１）、液晶表示パネル１の作動により、表示面７の全面を黒色表示または白色表示にする（ステップＳ２）。
【００８１】
次いで、図１０に示すように、上述のステップ３の代わりに、マスク部材１３の端部１３ａが、液晶表示パネル１の表示面７の上方に浮揚した状態で、液晶表示パネル１に支持されるように、マスク部材１３を測定領域Ｓに隣接させて配設する（ステップＳ３ｂ）。
【００８２】
なお、マスク部材１３の配設後の処理は、上述のステップＳ４〜ステップＳ８と同様である。
【００８３】
以上に説明した本実施形態によれば、上述の（１）の効果に加えて、以下の効果を得ることができる。
【００８４】
（３）本実施形態においては、マスク部材１３を、マスク部材１３の端部１３ａが、液晶表示パネル１の表示面７の上方に浮揚した状態で、液晶表示パネル１に支持されるように配設する構成としている。従って、光学測定器８により、各測定角度における測定領域Ｓの輝度を測定する際に、液晶表示パネル１の周囲から回り込み、液晶表示パネル１の表示面７において反射した光が、マスク部材１３により遮光される。従って、反射した光が光学測定器８により受光されることを効果的に防止することが可能になるため、光学測定器８による測定領域Ｓの輝度の測定精度を向上させることが可能になる。その結果、より一層正確な視野角を算出すること可能になる。
【００８５】
（４）また、マスク部材１３を、マスク部材１３の端部１３ａが、液晶表示パネル１の表示面７の上方に浮揚した状態で、液晶表示パネル１に支持されるように配設する構成としているため、液晶表示パネル１から放出される熱を、直接、大気中へ放射することが可能になる。従って、液晶表示パネル１の放熱効率を向上させることが可能になる。
【００８６】
なお、上記実施形態は以下のように変更しても良い。
【００８７】
・図１１に示すように、マスク部材１３を遮光性を有する複数の板状部材１４により形成し、上述の第３の実施形態の場合と同様に、マスク部材１３を、液晶表示パネル１の表示面７の一部を覆うように、測定領域Ｓに隣接して配設するとともに、マスク部材１３の端部１３ａを、液晶表示パネル１の表示面７の上方に浮揚した状態で、液晶表示パネル１により支持する構成としても良い。この場合も、上述の（１）、（３）及び（４）の効果と同様の効果を得ることができる。
【００８８】
・上記実施形態においては、表示パネルとして、液晶表示パネル１を例に挙げて説明したが、例えば、有機ＥＬ表示パネル等の他の表示パネルについても、本発明を適用することができる。
【産業上の利用可能性】
【００８９】
本発明の活用例としては、一対の基板を所定の間隔を隔てて重ね合わせ、一対の基板の間隙に表示媒体層を封入する表示パネルの視野角算出装置及び視野角算出方法であって、特に、表示パネルの表示面の輝度値を測定して、得られた輝度値から表示パネルの視野角を算出する装置及び方法が挙げられる。
【符号の説明】
【００９０】
１    液晶表示パネル
２    ＴＦＴ基板
３    ＣＦ基板
４    液晶層
５    シール材
６    視野角算出装置
７    液晶表示パネルの表示面
８    光学測定器
１０    コントラスト比算出部
１１    視野角算出部
１２    記憶部
１３    マスク部材
１３ａ    マスク部材の端部
１４    板状部材
Ｓ    測定領域
【図１】
2010164649.tif 000004
【図２】
2010164649.tif 000005
【図３】
2010164649.tif 000006
【図４】
2010164649.tif 000007
【図５】
2010164649.tif 000008
【図６】
2010164649.tif 000009
【図７】
2010164649.tif 000010
【図８】
2010164649.tif 000011
【図９】
2010164649.tif 000012
【図１０】
2010164649.tif 000013
【図１１】
2010164649.tif 000014
【図１２】
2010164649.tif 000015
【図１３】
2010164649.tif 000016